(57)【要約】【課題】誘導方向を可変表示する誘導表示システムにおいて、中央制御装置や配線にトラブルが生じるとシステム全体に支障をきたす可能性があり、復旧にも時間がかかっていた。そのため中央制御装置を必要としない単独で稼動することを課題とする。【解決手段】火災センサの抵抗値の変化と配線の断線を、コンパレータで入力電圧の変化として捉えることによる異状を検出する手段、リレーの切り換えで異状の伝達と他方からの異状を遮断する手段を具備し、異状検出方向と避難方向を、火災センサと異状伝達・遮断の手段に連動させて表示する表示装置を有することにより中央制御装置を不要にした。【選択図】         図１
2005092869.tif 000002
【特許請求の範囲】
【請求項１】
火災センサを含む配線の断線・短絡をコンパレータで入力電圧の変化として捉える異状を検出する手段、異状の伝達と他方からの異状をリレーの切り換えで遮断する手段を具備し、異状検出手段と異状伝達・遮断の手段とも連動させて、異状検出方向又は避難方向を表示する表示部を有する誘導表示システム。
【請求項２】
誘導灯に直結した複数の火災センサと連動させて、異状を検出した方向と安全な一方向又は複数方向を位置情報と共に表示することを特徴とする、請求項１に記載の誘導表示システム。
【請求項３】
誘導灯に供給する電源として、一台毎に独立して電源回路と予備電源回路を具備することを特徴とする、請求項１に記載の誘導表示システム。
【請求項４】
多数のＬＥＤを、異状方向や避難方向を示すように点灯・点滅させることを特徴とする、請求項１に記載の誘導表示システム。
【請求項５】
音声や音により異状方向または避難方向を示すことを特徴とする、請求項１に記載の誘導表示システム。
【発明の詳細な説明】
【技術分野】
【０００１】
本発明は、火災等の災害時に異状検出方向及び避難方向を表示して避難誘導を行なう誘導灯システムに関する。
【背景技術】
【０００２】
従来の誘導表示システムでは、誘導灯で避難方向を指示するのにセンサからの信号を中央制御装置が受信し、人間の判断によるか又は中央制御装置が自動で誘導灯に制御信号や電力を送って避難方向を表示していた。
【発明の開示】
【発明が解決しようとする課題】
【０００３】
しかし従来の誘導表示システムでは、管理人が少しの間でも不在であったり、火災により中央制御装置が故障したり、電源線や信号線が切断するというような１箇所のトラブルで、システム全体が正しく機能しなくなっていた。また、配線が複雑になるため、復旧やメンテナンスにも時間がかかる恐れがあった。また、設置が容易には出来なかった。本発明は、以上の欠点を簡単なしくみで解決することを目的とする。
【課題を解決するための手段】
【０００４】
請求項１記載の発明では、火災センサの抵抗値の変化や配線の断線を、コンパレータで入力電圧の変化として捉え異状を検出する手段、リレーの切り換えで異状の伝達と他方からの異状を遮断する手段を具備し、異状検出方向と避難方向を、火災センサと異状伝達・遮断の手段に連動させて表示する機能を実現し、中央制御装置を不要にした。
【０００５】
請求項２記載の発明では、誘導灯に直結した複数の火災センサと連動させて、異状を検出した方向と安全な一方向又は複数方向を位置情報と共に表示して、避難に必要な情報を与える。
【０００６】
請求項３記載の発明では、誘導に供給する電源として、一台毎に独立して電源回路と予備電源回路を具備するものである。
【０００７】
請求項４記載の発明では、多数のＬＥＤを、異状方向や避難方向を示すように点灯・点滅させて表現することにより省電力・長寿命・薄型にできる。
【０００８】
請求項５記載の発明では、音声や音により異状方向または避難方向を示すことにより誘導表示や非常口が見えない場合にも迷わずに避難できる。
【発明の効果】
【０００９】
本発明の誘導表示システムは、人による管理や中央制御装置を必要としない。  個々が独立した誘導灯であり、他の誘導灯に異状を伝達する構造なので、設置台数に制限がなく、設置が容易で配線や停電のトラブルにも対応できる。回路も簡単で拡張性もあり、省電力で安価である。また避難誘導灯においては、自動で火元の方向表示や複数の避難方向の表示等、不測の事態に対応できる情報を提供して、より安全に避難することができるという効果がある。
【実施例１】
【００１０】
図１は、この発明の実施例を示す回路図である。図２は図１の回路のブロック図である。図３は図１の回路の動作説明図である。図２で示すように本発明の誘導灯の構造は、切換部１８ａ，１８ｂと比較部１９ａ．１９ｂと制御部１５と表示部１６で構成され，制御部１５と表示部１６を中心に左右対称である。
【００１１】
図１の回路の説明をする。誘導灯２０ａの電源から抵抗8ａ，電源への逆流を防止するダイオード6ａ，リレー４ａのブレイク接点からコモン端子に接続される。これがセンサ部１７ａの並列に接続された火災センサ１ａと抵抗２ａに接続され，リレー５ａブレイク接点からコモン端子，抵抗９ａ，アースまで接続されている。リレー５ａコモン端子と抵抗９ａの結合点がコンパレータ１３ａの＋入力（非反転入力）とコンパレータ１４ａの−入力（反転入力）に接続される。比較のための基準電圧Ｖ１３ｍ，Ｖ１４ｐは、電源から抵抗１０，１１，１２そしてアースへと接続され、その分圧によって作られる。抵抗１０と１１の結合点はコンパレータ１３ａの−入力へ接続され、抵抗１１と１２の結合点はコンパレータ１４ａの＋入力へ接続される。コンパレータ１３ａ，１４ａの出力は制御部１５に接続され、制御部１５は表示部１６の表示制御と切換部１８ｂのリレー４ｂ，５ｂの駆動制御をする。ダイオード６ａのカソードとリレー４ａのブレイク接点の結合点からリレー５ａのメイク接点に，抵抗２ａと同じ抵抗値の抵抗７ａが接続される。リレー４ａのメイク接点と５ａのブレイク接点は接続される。
【００１２】
図１の回路の動作説明をする。通常時、コンパレータ１３ａ，１４ａの入力電圧Ｖ１３ｐ，Ｖ１４ｍは逆流防止のダイオード６ａの電圧降下約０．６Ｖと抵抗８ａ，２ａ，９ａによる分圧で決まる。抵抗２ａに並列接続された火災センサ１の抵抗値は通常時には無限大（無限大に近い状態）である。コンパレータ１３ａ，１４ａで入力電圧Ｖ１３ｐ，Ｖ１４ｍと基準電圧Ｖ１３ｍ，Ｖ
を比較して、出力信号Ｖ１３ｏ，Ｖ１４ｏを出力する。
【００１３】
図３通常時において、コンパレータ１３ａ，１４ａの入力電圧はＶ１３ｍ＞Ｖ１３ｐ、Ｖ１４ｍ＞Ｖ１４ｐであるため出力電圧Ｖ１３ｏ，Ｖ１４ｏは共に‘Ｌ’である。
【００１４】
図３断線において、センサ部１７ａと切換部１８ａを接続している配線が炎等により断線したとき、抵抗２ａにかかっていた電圧がコンパレータ１４ａに届かないため、コンパレータ１４ａの入力電圧Ｖ１４ｍは０ボルトで、Ｖ１４ｍ＜Ｖ１４ｐとなり、出力電圧Ｖ１４ｏは‘Ｈ’となる。そして、制御部１５内のリレーが作動し、切換部１８ｂのリレーのスイッチ部４ｂ，５ｂが切り換わり、右のセンサ部１７ｂとは遮断される。右側比較部１９ｂはセンサ部１７ｂの抵抗２ｂと同じ抵抗値の抵抗７ｂにより，通常と同じ入力電圧に保たれる。また、右のセンサ部１７ｂの両端が短絡状態になる。
【００１５】
図３火災において、火災センサ１ａが火災を感知し両端が短絡状態（短絡に近い状態）になったとき、入力電圧Ｖ１３ｐが大きくなりＶ１３ｍ＜Ｖ１３ｐとなり、コンパレータ１３ａの出力電圧Ｖ１３ｏも‘Ｈ’となる。そして、制御部１５内のリレーが作動し、切換部１８ｂのリレーのスイッチ部が切り換わり、右のセンサ部１７ｂとは遮断され、切換部１８ｂ内の抵抗２ｂと同じ抵抗値の抵抗７ｂにより、右側比較部１９ｂは通常と同じ入力電圧に保たれる。
【００１６】
図４は本発明による誘導灯に適用される表示パネルの一例を示す斜視図である。異状検出方向を左右の‘×’表示のいずれかを点灯・点滅させ、避難方向を‘←’又は‘→’のいずれかを点灯させて表示する。
【００１７】
図５は複数台の誘導灯と火災センサを接続した時の接続ブロック図である。図６は図５の接続時の表示パターン図である。尚、図６の1．通常時では表示パネルは消灯状態であるが、一番近い避難口の方向の矢印を選択し点灯させることもできる。
【００１８】
図５において図６の２．配線２６ａが断線したとき、図１のコンパレータ１４ａの−入力Ｖ１４ｍが０ボルトになるため、出力Ｖ１４ｏが‘Ｈ’になる。それで制御部１５が図４の左側‘×’表示２１と‘→’表示２４を点灯させる指示を出し、右側の切換部１８ｂのリレーを切り換える。すると、比較部１９ｂは切換部１８ｂの抵抗７ｂにより通常の電圧を保たれて、センサ部１７ｂの両端が短絡状態になる。そのため、誘導灯２０ｂは入力電圧Ｖ１３ｐが‘Ｈ’になり、火災発報と同じ状態となる。誘導灯２０ｂの制御部１５は左側‘×’表示２１を点滅させ、右側‘→’表示２４を点灯させる指示を出し、右側の切換部１７ｂのリレーを切り換える。これにより、誘導灯２０ｃも同様の動作をする。
【００１９】
図５において図６の３．配線２７ａが断線したときを説明する。誘導灯の構造は図２で示したように制御部１５，表示部１６を中心として左右対称になっている。このため、誘導灯２０ａは前述配線２６ａが断線したときと逆向きに同様の動作をする。それで誘導灯２０ａの表示は‘←’表示２２と右側‘×’表示２５が点灯する。誘導灯２０ｂはセンサ部１７ａ，誘導灯２０ａが無い状態、つまり通常状態のセンサ部１７ａと誘導灯２０ａと同じ状態であるため、通常の表示状態のまま全て消灯になっている。誘導灯２０ｃも異状を感知していないので、全て消灯になっている。
【００２０】
図５において図６の４．配線２６ｂが断線したとき、誘導灯２０ｂ，２０ｃは配線２６ａが断線したときの誘導灯２０ａ，２０ｂと同じ状態である。誘導灯２０ａは誘導灯２０ｂが無いのと同じ状態であるため、通常の状態のままである。図５において図６の５．配線２７ｂが断線したとき、誘導灯２０ｂ，２０ｃは配線２７ａが断線したときの誘導灯２０ａ，２０ｂと同じ状態であり、誘導灯２０ａは誘導灯２０ｂに連動して‘←’表示２２が点灯、右側‘×’表示２５は点滅する。図５において図６の６．配線２６ｃが断線したとき、誘導灯２０ｃは配線２６ｂが断線したときの誘導灯２０ｂと同じ状態で，誘導灯２０ａ，２０ｂは通常と同じ状態である。図５において図６の７．配線２７ｃが断線したとき、誘導灯２０ｂ，２０ｃは配線２７ｂが断線したときの誘導灯２０ａ，２０ｂと同じ状態である。誘導灯２０ａは誘導灯２０ｂに連動して誘導灯２０ｂと同じ動作をする。
【００２１】
図５において図６の８．火災時、センサ部１７ａの火災センサ1ａが反応すると、誘導灯２０ａでは入力電圧Ｖ１３ｐが火災基準電圧Ｖ１３ｍより大きくなり出力電圧Ｖ１３ｏが‘Ｈ’になる。これにより制御部１５は左側‘×’表示２１を点滅させ、‘→’表示２４を点灯させる指示を出し、右側リレー４ｂ，５ｂを切り換える。リレー４ｂのコモン端子とメイク接点が閉じることにより、火災センサ１ｂが火災感知したときと同様に短絡状態になり、誘導灯２０ｂの入力電圧もＶ１３ｐ＞Ｖ１３ｍとなり，誘導灯２０ａと同じ動作をする。また，誘導灯２０ｃも連動して同じ動作をする。図５において図６の９．センサ部１７ｂが火災を感知したとき、誘導灯２０ｂ，２０ｃはセンサ部１７ａが火災感知したときの２０ａ，２０ｂと同じ動作をする。誘導灯２０ａは逆向きに同様の動作をして‘←’表示２２が点灯し，右側‘×’表示２５が点滅する。図５において図６の１０．センサ部１７ｃが火災感知したとき、誘導灯２０ｂ，２０ｃはセンサ部１７ｂが火災感知したときの誘導灯２０ａ，２０ｂと同じ動作をする。誘導灯２０ａは誘導灯２０ｂに連動して誘導灯２０ｂと同じ動作をする。
【００２２】
配線のトラブルや装置が故障したとき、センサをとばして誘導灯同士を２線間に抵抗２ａと同様に接続した線付コネクタで接続したり、誘導灯をとばしてセンサ同士を線付コネクタで接続する応急措置をすれば、簡単にシステムを復旧することができ、トラブルがシステム全体に広がらないようにできる。
【実施例２】
【００２３】
図７は電源供給についてのブロック図である。通常は電源切換回路３０内のリレーが動作し、商用電源２８からの交流電流を電源回路２９で誘導灯用の直流電流に変換した電流がＤＣ電源ライン３２へ供給される。このとき、予備電源３１はＤＣ電源ライン３２とは遮断されている。ただし、予備電源３１が二次電池を使用しているときは電源回路２９から供給される電気によって充電される。商用電源２８から電気が供給されなくなると電源切換回路３０内のリレーが動作しなくなり、ＤＣ電源ライン３２は電源回路２９とは遮断され予備電源３１に接続される。これにより商用電源２８が停電したり、切断されたりした場合でも、この誘導灯の機能が継続される。
【実施例３】
【００２４】
長時間の停電に備えて省電力にするため、ＬＥＤによる表示をする。図８はこのときの誘導灯のＬＥＤの配置例を示したものである。これは図４と同等の表示であり、それぞれ左側‘×’表示２１と３３、‘←’表示２２と３４、‘→’表示２４と３６、右側‘×’表示２５と３７に対応している。また、切換部をリレーの代わりにＣＭＯＳアナログスイッチ等の電子式スイッチを用いることで、より省電力にすることができる。これにより、長寿命・薄型にもなる。
【実施例４】
【００２５】
ところで、アパート等では火元となるのは室内ということが多く、誘導灯が設置されている廊下では機能を発揮することは少ない。また設置場所により避難方向が複数ある場合があり、避難口の状況に応じて現場で避難する方向を選択しなければならない場合もある。このようなときは左右だけでなく、図９のように多数の方向を示した表示パネルの誘導灯であれば、有効である。図１０はこの誘導灯の回路のブロック図である。‘×’表示２１，２５，３８とセンサ部１７ａ，１７ｂ，１７ｃが対応しており，各々表示方向はセンサのある方向や避難方向と同じにしている。また，避難方向を選択するために必要な情報として、避難口までの距離の表示４０ａ，４０ｂや名称の表示４０ｃ，４０ｄ等の表示をしている。
【００２６】
図１０において１７ｃ，１８ｃ，１９ｃの回路は１７ａ，１８ａ，１９ａと同じでよいが、制御部１５で表示部１６の点灯・点滅のパターンは設置時に設定しておく。また、図１０のように１７ｃに別の誘導灯が接続されない場合や、隣の誘導灯に異状を伝達しない場合は、制御部１５でのリレーの制御を設定変更しておく。
【実施例５】
【００２７】
図１１は非常階段に設置する表示灯のパネル表示の実施例である。表示パネルは図１０の左側‘×’表示２１と‘上の階で’表示４１、中央‘×’表示３８と‘この階で’表示４２、右側‘×’表示２５と‘下の階で‘表示４３に対応している。
【実施例６】
【００２８】
図１２は個々の誘導灯を電気的に遮断したシステムの回路図である。尚、比較部１９ｂの詳細は図１と同じなので省略してある。図１３はこのシステムのセンサ部と誘導灯を複数台接続したときの接続ブロック図である。誘導灯２０ｅのコネクタ４７ａと隣の誘導灯２０ｄのコネクタ４８ｂを接続し、誘導灯２０ｅのコネクタ４８ａと隣の誘導灯２０ｄのコネクタ４７ｂを接続すると、誘導灯２０ｄのリレー４６ｂと誘導灯２０ｅのリレー４６ａとで電気的に遮断される。これは、制御部１５内のリレーの駆動部と出力部４９ａのスイッチ部が電気的に遮断されているのを利用している。
【００２９】
誘導灯２０ｅの電源から抵抗8ａ，隣の誘導灯２０ｄの出力部４９ｂ内で並列接続されたリレー４６ｂと抵抗４５ｂ，誘導灯２０ｅの抵抗９ａ，アースに接続されている。抵抗９ａのアースの反対側がコンパレータ１３ａの＋入力Ｖ１３ｐとコンパレータ１４ａの−入力１４ｍに接続される。比較部１９ａは実施例1と同じである。この実施例では、センサ部は隣の誘導灯に信号伝達するのとは、別に独立した切換部１８ｅ・比較部１９ｅに接続される。センサ部１７ｅには別の誘導灯を接続しないため、切換部１８ｃには図１でいうところのリレー４ａは不要になる。コンパレータ１３ｅ，１４ｅの出力は制御部１５に接続され、表示部１６の表示制御と出力部４９ａ，４９ｂのリレー４６ａ，４６ｂの駆動制御をする。ダイオード６ｅのカソードからリレー５ｅのメイク接点に，抵抗２ｅと同じ抵抗値の抵抗７ｅが接続される。
【００３０】
動作を説明する。ただし、表示部１６の動作については省略する。通常時は、誘導灯２０ｅの比較部１９ａの抵抗８ａと隣接する誘導灯２０ｄの出力部４９ｂの抵抗４５ｂと比較部１９ａの抵抗９ａの分圧により、入力電圧はＶ１３ｍ＞Ｖ１３ｐ，Ｖ１４ｍ＜Ｖ１４ｐとなるため、コンパレータの出力Ｖ１３ｏ，Ｖ１４ｏは‘Ｌ’である。
【００３１】
誘導灯２０ｅのコネクタ４７ａと隣接誘導灯２０ｄのコネクタ４８ｂの間で断線したとき、誘導灯２０ｅの比較部１９ａの入力電圧Ｖ１４ｍは０ボルトになりＶ１４ｐ＞Ｖ１４ｍとなる。コンパレータ出力Ｖ１４ｏが‘Ｈ’となり制御部１５で断線発報の制御を行ない、出力部４９ｂのリレー４６ｂを駆動し、隣の誘導灯２０ｆに異状を伝達する。また、切換部１８ｅのリレー５ｅを駆動してセンサ部１７ｅから信号が入ってこないようにして、比較部１９ｅは抵抗２ｅと同じ抵抗値の抵抗７ｅにより通常と同じ入力電圧にする。
【００３２】
隣の誘導灯２０ｄが発報したとき、隣の誘導灯２０ｄのリレー４６ｂが駆動する。するとリレー４６ｂのスイッチ部が閉じて、誘導灯２０ｅの比較部１９ａのコンパレータ１３ａの入力がＶ１３ｍ＜Ｖ１３ｐとなり、出力は‘Ｈ’となる。制御部１５で火災発報の制御を行ない、出力部４９ｂのリレー４６ｂを駆動し、反対側の誘導灯２０ｆにも異状を伝達する。また、切換部１８ｅのリレー５ｅを駆動してセンサ部１７ｅから信号が入ってこないようにして、比較部１９ｅは抵抗２ｅと同じ抵抗値の抵抗７ｅにより通常と同じ入力電圧にする。
【００３３】
センサ部１７ｅが火災を感知したときや配線が断線したときは、異状信号がリレー５ｅのブレイク接点を通り、コンパレータ１３ｅ，１４ｅに入力され出力する。制御部１５内のリレーを駆動させ、出力部４９ａ，４９ｂのリレー４６ａ，４６ｂを駆動させて両隣の誘導灯２０ｄ，２０ｆに異状を伝達する。
【実施例７】
【００３４】
図１４は図１のセンサ部１７ａ，１７ｂの入力電圧を分圧する抵抗２ａ，２ｂを取り去り、代わりに誘導灯２０ａ内に火災センサ１ａ，２ｂと並列に抵抗２ａ，２ｂの２倍の抵抗値の抵抗５０ａ，５０ｂを取り付けた回路図である。
【００３５】
図１４の回路の説明をする。誘導灯２０ａの電源から  ５０ａと同じ抵抗値の終端抵抗５０ｚに接続され。これ以外の部分は図１と同じである。センサ部１７ａのように誘導灯が１台しか接続されていない場合は、誘導灯内の抵抗の代わりに終端抵抗を接続する必要がある。
【００３６】
図１４の回路の動作説明をする。通常時、火災センサ１の抵抗値は無限大であり、抵抗５０ａ，５０ｚの両端の抵抗値は図１の抵抗１ａの２倍の抵抗値の抵抗５０ａと５０ｚが並列接続になっているため、図１の抵抗１ａと同じである。そのため、比較部１９ａの入力電圧は図１と同じように、コンパレータ１３ａ，１４ａの入力電圧はＶ１３ｍ＞Ｖ１３ｐ、Ｖ１４ｍ＞Ｖ１４ｐであるため出力電圧Ｖ１３ｏ，Ｖ１４ｏは共に‘Ｌ’である。
【００３７】
図１４の断線時において、終端抵抗５０ｚと誘導灯２０ａのコネクタ３ａを接続している配線が断線したとき、終端抵抗５０ｚに電流が流れなくなり抵抗５０ａの両端の抵抗値は２倍になる。そのため、コンパレータ１４ａの入力電圧Ｖ１４ｍは下がり、Ｖ１４ｍ＜Ｖ１４ｐとなり、出力電圧Ｖ１４ｏは‘Ｈ’となる。そして、制御部１５内のリレーが作動し、切換部１８ｂのリレーのスイッチ部４ｂ，５ｂが切り換わり、右のセンサ部１７ｂとは遮断される。右側比較部１９ｂはセンサ部１７ｂの抵抗２ｂと同じ抵抗値の抵抗７ｂにより，通常と同じ入力電圧に保たれる。また、右のセンサ部１７ｂの両端が短絡状態になる。
【００３８】
火災時において、火災センサ１ａが火災を感知し短絡状態になったとき、図１と同様にＶ１３ｍ＜Ｖ１３ｐとなり、コンパレータ１３ａの出力電圧Ｖ１３ｏも‘Ｈ’となる。そして、制御部１５内のリレーが作動し、切換部１８ｂのリレーのスイッチ部が切り換わり、右のセンサ部１７ｂとは遮断され、切換部１８ｂ内の抵抗２ｂと同じ抵抗値の抵抗７ｂにより、右側比較部１９ｂは通常と同じ入力電圧に保たれる。
【００３９】
図１５は図５の接続時の表示パターン図である。図１５の1．通常時では表示パネルは消灯状態である。図５において図１５の２．配線２６ａが断線したとき、図１4のコンパレータ１４ａの−入力Ｖ１４ｍがＶ１４ｐより低くなるため、出力Ｖ１４ｏが‘Ｈ’になる。それで制御部１５が図４の左側‘×’表示２１と‘→’表示２４を点灯させる指示を出し、右側の切換部１８ｂのリレーを切り換える。すると、比較部１９ｂは切換部１８ｂの抵抗７ｂにより通常の電圧を保たれて、センサ部１７ｂの両端が短絡状態になる。そのため、誘導灯２０ｂは入力電圧Ｖ１３ｐが‘Ｈ’になり、火災発報と同じ状態となる。誘導灯２０ｂの制御部１５は左側‘×’表示２１を点滅させ、右側‘→’表示２４を点灯させる指示を出し、右側の切換部１７ｂのリレーを切り換える。これにより、誘導灯２０ｃも同様の動作をする。
【００４０】
図５において図１５の３．配線２７ａが断線したときと４．配線２6ｂが断線したときの説明する。図１４の回路では図１と違い誘導灯間のどこで断線しても同じ結果になる。誘導灯の構造は図２で示したように制御部１５，表示部１６を中心として左右対称になっている。このため、誘導灯２０ａは前述配線２６ａが断線したときと逆向きに同様の動作をする。それで誘導灯２０ａの表示は‘←’表示２２と右側‘×’表示２５が点灯する。誘導灯２０ｂは前述配線２６ａが断線したときと同様の動作をして、表示は‘←’表示２２と右側‘×’表示２５が点灯する。誘導灯２０ｃは誘導灯２０ｂに連動して、表示は‘→’表示２４が点灯しと左側‘×’表示２１が点滅する。
【００４１】
図５において図１５の４．配線２６ｂが断線したときと５．配線２７ｂが断線したときの説明をする。誘導灯２０ｂ，２０ｃは配線２６ａが断線したときの誘導灯２０ａ，２０ｂと同じ状態である。誘導灯２０ａは誘導灯２０ｂに連動して‘←’表示２２が点灯、右側‘×’表示２５は点滅する。
【００４２】
図５において図１５の７．配線２７ｃが断線したとき、誘導灯２０ｂ，２０ｃは配線２７ｂが断線したときの誘導灯２０ａ，２０ｂと同じ状態である。誘導灯２０ａは誘導灯２０ｂに連動して誘導灯２０ｂと同じ動作をする。
【００４３】
図５において図１５の８．火災時、センサ部１７ａの火災センサ1ａが反応すると、誘導灯２０ａでは入力電圧Ｖ１３ｐが火災基準電圧Ｖ１３ｍより大きくなり出力電圧Ｖ１３ｏが‘Ｈ’になる。これにより制御部１５は左側‘×’表示２１を点滅させ、‘→’表示２４を点灯させる指示を出し、右側リレー４ｂ，５ｂを切り換える。リレー４ｂのコモン端子とメイク接点が閉じることにより、火災センサ１ｂが火災感知したときと同様に短絡状態になり、誘導灯２０ｂの入力電圧もＶ１３ｐ＞Ｖ１３ｍとなり，誘導灯２０ａと同じ動作をする。また，誘導灯２０ｃも連動して同じ動作をする。図５において図１５の９．センサ部１７ｂが火災を感知したとき、誘導灯２０ｂ，２０ｃはセンサ部１７ａが火災感知したときの２０ａ，２０ｂと同じ動作をする。誘導灯２０ａは逆向きに同様の動作をして‘←’表示２２が点灯し，右側‘×’表示２５が点滅する。図５において図１５の１０．センサ部１７ｃが火災感知したとき、誘導灯２０ｂ，２０ｃはセンサ部１７ｂが火災感知したときの誘導灯２０ａ，２０ｂと同じ動作をする。誘導灯２０ａは誘導灯２０ｂに連動して誘導灯２０ｂと同じ動作をする。
【００４４】
センサ部や切換部・出力部が単純であることから、他の装置とのインターフェースが取りやすい。例えば、センサ部は市販の移報接点付火災報知器に置き換えられる。警報音発生器を接続すると火災報知器に成りうる。また、センサはＣＴＲサーミスタ等の抵抗型の素子やサーモスタット等のスイッチ型の素子を使用でき、非常押しボタンにすると非常警報装置にすることができる等、他の警報装置としても使用可能である。また、センサ部に他の装置からの出力により短絡する機能を有したインターフェース回路を使用することにより、火災以外の情報の入手、伝送を可能とする。
【実施例８】
【００４５】
避難場所へ誘導する方法には、煙による視界不良の場合や視覚障害者等に対応するため、表示によるものだけでなく声や警報音による誘導も有る。声によるものでは「右に避難してください」「左に避難してください」。警報音によるものではルールを決めて、避難方向が右の場合は「ピーピー」左の場合は「プップップ」というように、警報音の長さや回数や音色等を変えて示す。これは制御部１５が表示部１６に左・右の表示を指示するのと同様に、制御部１５が左・右の避難方向を示す音声や音を出す回路に指示することにより実現できる。
【実施例９】
【００４６】
これまで避難用誘導灯の誘導表示システムについて述べた。以下は表示制御を変更して、異状感知した方向を示す矢印が点灯点滅する誘導表示装置を有する誘導表示システムについて述べる。例えば、装置類が異状発熱したとき、すぐにその箇所の装置を停止し、修理等の対応をしなければならない。一目で見渡せない装置では、取り付けたサーミスタ等の熱センサが短絡して、誘導表示装置はセンサがある方向の矢印を点滅する。そして隣の誘導表示装置に伝達されて矢印が点滅する。このようにして接続されている誘導表示装置は次々と連動する。この誘導表示装置の矢印を辿れば楽に異状箇所を見つけられる。そして、複数の個所が連動して異状をきたした場合では、矢印は最初に異状をきたした場所を示す。また、従来の聴覚障害者用屋内信号装置と回転呼出灯のシステムでは、どこのセンサがはたらいたのか、どこで音がしているか分からないという場合がある。しかし、センサ部のセンサの位置にセンサや音声感知器を接続した誘導表示システムでは、装置の矢印を辿れば簡単にはたらいたセンサや音の発生源を特定することができる。
【図面の簡単な説明】
【００４７】
【図１】本発明の実施例１を示す回路図である。
【図２】本発明の実施例１を示すブロック図である。
【図３】本発明の実施例１を示す図１の回路の動作説明図である。
【図４】本発明の実施例１を示す誘導灯の表示パネルの斜視図である。
【図５】本発明の実施例１を示す誘導灯の接続ブロック図である。
【図６】本発明の実施例１を示す図５の時の表示パターン図である。
【図７】本発明の実施例２を示す電源供給についてのブロック図である。
【図８】本発明の実施例３を示す誘導灯のＬＥＤの配置図である。
【図９】本発明の実施例４を示す誘導灯の表示パネルの斜視図である。
【図１０】本発明の実施例４を示すブロック図である。
【図１１】本発明の実施例５を示す誘導灯の表示パネルの斜視図である。
【図１２】本発明の実施例６を示す回路図である。
【図１３】本発明の実施例６を示す接続ブロック図である。
【図１４】本発明の実施例７を示す回路図である。
【図１５】本発明の実施例７を示す図１４の回路の動作説明図である。
【符号の説明】
【００４８】
１ａ，１ｂ，１ｅ・・・火災センサ（サーモスタット）
２ａ，２ｂ，２ｅ，７ａ，７ｂ，7ｅ，８ａ，８ｂ，８ｅ，９ａ，９ｂ，９ｅ，１０，１１，１２，４５ａ，４５ｂ，５０ａ，５０ｂ，５０ｚ・・・抵抗
３ａ，３ｂ，４７ａ，４７ｂ，４８ａ，４８ｂ・・・コネクタ、４ａ，４ｂ，５ａ，５ｂ，５ｅ，４６ａ，４６ｂ・・・リレーのスイッチ部
６ａ，６ｂ，6ｅ・・・逆流防止ダイオード
１３ａ，１３ｂ，１３ｅ，１４ａ，１４ｂ，１４ｅ・・・コンパレータ
Ｖ１３ｐ，Ｖ１４ｐ・・・コンパレータの＋入力電圧
Ｖ１３ｍ、Ｖ１４ｍ・・・コンパレータの−入力電圧
Ｖ１３ｏ，Ｖ１４ｏ・・・コンパレータの出力電圧
２１，２５，３８・・・（赤色）異状方向表示
２２，２４，３９・・・（緑色）避難方向表示
２３・・・誘導灯の表示
２６ａ，２６ｂ，２６ｃ，２７ａ，２７ｂ，２７ｃ・・・配線
３３，３７・・・赤色ＬＥＤによる異状方向表示
３５，３６・・・緑色ＬＥＤによる避難方向表示
３５・・・高輝度白色ＬＥＤによる照明（誘導灯マークの表示部）
３９ａ，３９ｂ・・・避難口までの距離表示
３９ｃ，３９ｄ・・・異状箇所の名称表示
【図１】
2005092869.tif 000003
【図２】
2005092869.tif 000004
【図３】
2005092869.tif 000005
【図４】
2005092869.tif 000006
【図５】
2005092869.tif 000007
【図６】
2005092869.tif 000008
【図７】
2005092869.tif 000009
【図８】
2005092869.tif 000010
【図９】
2005092869.tif 000011
【図１０】
2005092869.tif 000012
【図１１】
2005092869.tif 000013
【図１２】
2005092869.tif 000014
【図１３】
2005092869.tif 000015
【図１４】
2005092869.tif 000016
【図１５】
2005092869.tif 000017